(57)【特許請求の範囲】
【請求項１】
装置によるワイヤレス通信のための方法であって、
１つまたは複数のワイヤレスノードによるマルチユーザ（ＭＵ）通信に利用可能な１つまたは複数のチャネルを示すチャネルボンディング情報を有するフレームを生成することと、ここにおいて、
前記チャネルボンディング情報は、前記フレームのサービスフィールドの１または複数ビットを介して提供され、前記１または複数ビットの異なる値は、前記１つまたは複数のワイヤレスノードによるＭＵ通信に利用可能な１つまたは複数のチャネルの異なる組合せにマッピングする、
前記サービスフィールドの前記１または複数ビットのうちの少なくとも１つが、前記チャネルボンディング情報においてあらゆる誤りを検出するためにパリティビットとして使用されるように構成される、
送信のために前記フレームを出力することと、
を備える、方法。
【請求項２】
前記１または複数ビットにおけるビット数は、基本サービスセット（ＢＳＳ）帯域幅に少なくとも基づく、請求項１に記載の方法。
【請求項３】
装置によるワイヤレス通信のための方法であって、
チャネルボンディング情報を備えるフレームを取得することと、ここにおいて、
前記チャネルボンディング情報は、前記フレームのサービスフィールドの１または複数ビットを介して提供され、前記１または複数ビットの異なる値が、前記装置によるＭＵ通信に利用可能な１つまたは複数のチャネルの異なる組合せにマッピングし、
前記サービスフィールドの前記１または複数ビットのうちの少なくとも１つがパリティビットである、
前記フレームに含まれる前記チャネルボンディング情報に基づいて、マルチユーザ（ＭＵ）通信に利用可能な１つまたは複数のチャネルを決定することと、
前記チャネルボンディング情報における前記少なくとも１つのパリティビットに基づいて、前記チャネルボンディング情報においてあらゆる誤りを検出することと、
ＭＵ通信に利用可能であると決定された前記チャネルのうちの前記１つまたは複数上での送信のためにデータを出力することと、
を備える、方法。
【請求項４】
前記１または複数ビットにおけるビット数は、基本サービスセット（ＢＳＳ）帯域幅に少なくとも基づき、
ＭＵ通信に利用可能な前記１つまたは複数のチャネルの前記決定は、前記１または複数ビットに少なくとも基づく、
請求項３に記載の方法。
【請求項５】
ビーコンまたはターゲットウェイクアップ時間（ＴＷＴ）要素のうちの少なくとも１つを取得することと、
前記ビーコン、前記ＴＷＴ要素、または前記フレームのうちの少なくとも１つにおけるインジケーションに基づいて、前記装置への前記１つまたは複数のチャネルの割り当てを決定することと、ここにおいて、前記インジケーションは、ある量の時間の間、有効である、
をさらに備える、請求項３に記載の方法。
【請求項６】
ワイヤレス通信のための装置であって、
１つまたは複数のワイヤレスノードによるマルチユーザ（ＭＵ）通信に利用可能な１つまたは複数のチャネルを示すチャネルボンディング情報を有するフレームを生成するための手段と、ここにおいて、前記チャネルボンディング情報は、前記フレームのサービスフィールドの１または複数ビットを介して提供され、前記１または複数ビットの異なる値は、前記１つまたは複数のワイヤレスノードによるＭＵ通信に利用可能な１つまたは複数のチャネルの異なる組合せにマッピングする、
前記チャネルボンディング情報においてあらゆる誤りを検出するためにパリティビットとして前記サービスフィールドの前記１または複数ビットのうちの少なくとも１つを使用するための手段と、
送信のために前記フレームを出力するための手段と、
を備える、装置。
【請求項７】
ワイヤレス通信のための装置であって、
チャネルボンディング情報を備えるフレームを取得するための手段と、ここにおいて、    前記チャネルボンディング情報は、前記フレームのサービスフィールドの１または複数ビットを介して提供され、前記１または複数ビットの異なる値が、前記装置によるＭＵ通信に利用可能な１つまたは複数のチャネルの異なる組合せにマッピングし、
前記サービスフィールドの前記１または複数ビットのうちの少なくとも１つがパリティビットである、
前記フレームに含まれる前記チャネルボンディング情報に基づいて、マルチユーザ（ＭＵ）通信に利用可能な１つまたは複数のチャネルを決定するための手段と、
前記チャネルボンディング情報における前記少なくとも１つのパリティビットに基づいて、前記チャネルボンディング情報においてあらゆる誤りを検出するために手段と、
ＭＵ通信に利用可能であると決定された前記チャネルのうちの前記１つまたは複数上での送信のためにデータを出力するための手段と、
を備える、装置。
【請求項８】
請求項１〜２または３〜５のうちの何れか一項に従った方法を実行するための命令を備えるコンピュータプログラム。
【発明の詳細な説明】
【米国特許法第１１９条に基づく優先権の主張】
【０００１】
[0001]本出願は、２０１５年４月２１日付で出願された米国仮特許出願番号第６２／１５０，５９７号、および２０１６年３月３１日付で出願された米国特許出願第１５／０８７，７３８号の利益を主張し、それは、全体として参照によって本明細書に組み込まれている。
【技術分野】
【０００２】
[0002]本開示のある特定の態様は概して、ワイヤレス通信に関し、より具体的には、チャネルボンディングのためのレガシ対応シグナリング（legacy compatible signaling）に関する。
【背景技術】
【０００３】
[0003]ワイヤレス通信システムのために求められる、増加する帯域幅要件の課題に対処するために、複数のユーザ端末が高いデータスループットを実現しながらチャネルリソースを共有することによって単一のアクセスポイントと通信することを可能にするように、種々のスキームが開発されている。多入力多出力（ＭＩＭＯ）技術は、次世代通信システムのための一般的な技法として近年出現してきた、１つのこのようなアプローチを表す。ＭＩＭＯ技術は、米国電子電気学会（ＩＥＥＥ）８０２．１１規格のようないくつかの新興のワイヤレス通信規格において採用されてきた。ＩＥＥＥ８０２．１１規格は、短距離通信（たとえば、数十メートルから数百メートルまで）用にＩＥＥＥ８０２．１１委員会によって開発されたワイヤレスローカルエリアネットワーク（ＷＬＡＮ）エアインターフェース規格のセットを指す。
【０００４】
[0004]ＭＩＭＯシステムは、データ送信のために、複数（ＮＴ個）の送信アンテナおよび複数（ＮＲ個）の受信アンテナを用いる。ＮＴ個の送信アンテナおよびＮＲ個の受信アンテナによって形成されたＭＩＭＯチャネルは、空間チャネルとも称される、ＮＳ個の独立チャネルに分解され得、ここで、ＮＳ≦ｍｉｎ｛ＮＴ，ＮＲ｝である。ＮＳ個の独立チャネルの各々は、ある一次元（a dimension）に対応する。複数の送信および受信アンテナによって作り出される追加の次元が利用される場合、ＭＩＭＯシステムは、向上した性能（たとえば、より高いスループットおよび／またはより大きな信頼性）を提供しうる。
【０００５】
[0005]単一のアクセスポイント（ＡＰ）および複数のユーザ局（ＳＴＡ）をもつワイヤレスネットワークでは、アップリンク方向とダウンリンク方向との両方で、同時送信が異なる局に向けて複数のチャネル上で生じうる。このようなシステムには、多くの課題（challange）が存在する。
【発明の概要】
【０００６】
[0006]本開示のある特定の態様は、ワイヤレス通信のための装置を提供する。該装置は概して、１つまたは複数のワイヤレスノードによるマルチユーザ（ＭＵ）通信に利用可能な１つまたは複数のチャネルを示すチャネルボンディング情報を有するフレームを生成するように構成された処理システム、および送信のために該フレームを出力するように構成された第１のインターフェースを含む。
【０００７】
[0007]本開示のある特定の態様は、ワイヤレス通信のための方法を提供する。該方法は概して、第１のインターフェースおよび１つまたは複数のワイヤレスノードによるマルチユーザ（ＭＵ）通信に利用可能な１つまたは複数のチャネルを示すチャネルボンディング情報を有するフレームを生成すること、および送信のために該フレームを出力することを含む。
【０００８】
[0008]本開示のある特定の態様は、ワイヤレス通信のための装置を提供する。該装置は概して、１つまたは複数のワイヤレスノードによるマルチユーザ（ＭＵ）通信に利用可能な１つまたは複数のチャネルを示すチャネルボンディング情報を有するフレームを生成するための手段、および送信のために該フレームを出力するための手段を含む。
【０００９】
[0009]本開示のある特定の態様は、ワイヤレス通信のためのコンピュータ可読媒体を提供する。該コンピュータ可読媒体は概して、１つまたは複数のワイヤレスノードによるマルチユーザ（ＭＵ）通信に利用可能な１つまたは複数のチャネルを示すチャネルボンディング情報を有するフレームを生成すること、および送信のために該フレームを出力することのための命令を記憶している。
【００１０】
[0010]本開示のある特定の態様は、ワイヤレス通信のためのアクセスポイントを提供する。該アクセスポイントは概して、少なくとも１つのアンテナ、１つまたは複数のワイヤレスノードによるマルチユーザ（ＭＵ）通信に利用可能な１つまたは複数のチャネルを示すチャネルボンディング情報を有するフレームを生成するように構成された処理システム、および該少なくとも１つのアンテナを介した送信のために該フレームを出力するように構成された第１のインターフェースを含む。
【００１１】
[0011]本開示のある特定の態様は、ワイヤレス通信のための装置を提供する。該装置は概して、チャネルボンディング情報を備えるフレームを取得するように構成された第１のインターフェース、該フレームに含まれる該チャネルボンディング情報に基づいて、マルチユーザ（ＭＵ）通信に利用可能な１つまたは複数のチャネルを決定するように構成された処理システム、およびＭＵ通信に利用可能であると決定された該チャネルのうちの該１つまたは複数上での送信のためにデータを出力するように構成された第２のインターフェースを含む。
【００１２】
[0012]本開示のある特定の態様は、ワイヤレス通信のための方法を提供する。該方法は概して、チャネルボンディング情報を備えるフレームを取得すること、該フレームに含まれる該チャネルボンディング情報に基づいて、マルチユーザ（ＭＵ）通信に利用可能な１つまたは複数のチャネルを決定すること、およびＭＵ通信に利用可能であると決定された該チャネルのうちの該１つまたは複数上での送信のためにデータを出力することを含む。
【００１３】
[0013]本開示のある特定の態様は、ワイヤレス通信のための装置を提供する。該装置は概して、チャネルボンディング情報を備えるフレームを取得するための手段、該フレームに含まれる該チャネルボンディング情報に基づいて、マルチユーザ（ＭＵ）通信に利用可能な１つまたは複数のチャネルを決定するための手段、およびＭＵ通信に利用可能であると決定された該チャネルのうちの該１つまたは複数上での送信のためにデータを出力するための手段を含む。
【００１４】
[0014]本開示のある特定の態様は、ワイヤレス通信のためのコンピュータ可読媒体を提供する。該コンピュータ可読媒体は概して、チャネルボンディング情報を備えるフレームを取得すること、該フレームに含まれる該チャネルボンディング情報に基づいて、マルチユーザ（ＭＵ）通信に利用可能な１つまたは複数のチャネルを決定すること、およびＭＵ通信に利用可能であると決定された該チャネルのうちの該１つまたは複数上での送信のためにデータを出力することのための命令を記憶している。
【００１５】
[0015]本開示のある特定の態様は、ワイヤレス通信のためのワイヤレスノードを提供する。該ワイヤレスノードは概して、少なくとも１つのアンテナ、該少なくとも１つのアンテナを介してチャネルボンディング情報を備えるフレームを取得するように構成された第１のインターフェース、該フレームに含まれる該チャネルボンディング情報に基づいて、マルチユーザ（ＭＵ）通信に利用可能な１つまたは複数のチャネルを決定するように構成された処理システム、およびＭＵ通信に利用可能であると決定された該チャネルのうちの該１つまたは複数上での該少なくとも１つのアンテナを介した送信のためにデータを出力するように構成された第２のインターフェースを含む。
【００１６】
[0016]本開示の態様はまた、上で説明された装置および動作に対応する様々な方法、手段、およびコンピュータプログラム製品を提供する。
【図面の簡単な説明】
【００１７】
【図１】本開示のある特定の態様にしたがった、例となるワイヤレス通信ネットワークの図である。
【図２】本開示のある特定の態様にしたがった、例となるアクセスポイントおよび例となるユーザ端末のブロック図である。
【図３】本開示のある特定の態様にしたがった、様々なプライマリおよびセカンダリチャネル帯域幅を例示する。
【図４】本開示のある特定の態様にしたがった、ワイヤレスデバイスによって実行されうる例となる動作を例示する。
【図４Ａ】図４で例示された動作を実行する能力を有する例となる手段を例示する。
【図５】本開示のある特定の態様にしたがった、ワイヤレスデバイスによって実行されうる例となる動作を例示する。
【図５Ａ】図５で例示された動作を実行する能力を有する例となる手段を例示する。
【図６Ａ】本開示のある特定の態様にしたがった、例となる物理レイヤ集中プロトコル（ＰＬＣＰ：Physical Layer Convergence Protocol）プロトコルデータユニット（ＰＰＤＵ）フレームフォーマットを例示する。
【図６Ｂ】本開示のある特定の態様にしたがった、例となるサービスフィールドフォーマットを例示する。
【図７Ａ】本開示のある特定の態様にしたがった、様々なプライマリおよびセカンダリチャネル帯域幅割り振りを例示する。
【図７Ｂ】本開示のある特定の態様にしたがった、サービスフィールドのスクランブラ初期化部分についての例となるチャネルインデックスマッピングを例示する。
【図７Ｃ】本開示のある特定の態様にしたがった、サービスフィールドのリザーブされた部分についての例となるビットマップを例示する。
【図８】本開示のある特定の態様にしたがった、ダウンリンク（ＤＬ）チャネルボンディングシグナリングの例となるタイムラインを例示する。
【図９】本開示のある特定の態様にしたがった、その後に代替一時プライマリチャネル（alternate temporary primary channel）上でのＰＰＤＵ送信が開始される時間が、プライマリチャネル上での送信が開始される時間よりも長いことがあることを例示する。
【図１０】本開示のある特定の態様にしたがった、ダウンリンク（ＤＬ）ＰＰＤＵについてのチャネルボンディングシグナリングの例となるタイムラインを例示する。
【図１１】本開示のある特定の態様にしたがった、アップリンク（ＵＬ）ＰＰＤＵについてのチャネルボンディングシグナリングの例となるタイムラインを例示する。
【発明を実施するための形態】
【００１８】
[0033]本開示の態様は、チャネルボンディングをサポートする局（ＳＴＡ）（たとえば、非レガシＳＴＡ）によって復号可能でありうる情報（たとえば、チャネルボンディング情報）をレガシフレームにおいて隠すことによって、ＭＵ通信チャネルボンディングのためのレガシ対応シグナリングを提供するための技法を提供する。
【００１９】
[0034]本開示の様々な態様が、添付の図面を参照して以下でより十分に説明される。しかしながら、本開示は、多くの異なる形態で具現化され得、本開示全体を通じて提示されるあらゆる指定の構造または機能に限定されると解釈されるべきではない。むしろ、これらの態様は、本開示が徹底的で完全となり、当業者に本開示の範囲を十分に伝えることになるように提供される。本明細書における教示に基づいて、本開示のいずれの他の態様からも独立して実装されようと、本開示のいずれの他の態様と組み合わされようと、本開示の範囲が本明細書で開示される開示のいずれの態様もカバーするように意図されていることを、当業者は認識すべきである。たとえば、本明細書で述べられる態様のあらゆる数を使用して、装置が実装されうる、または方法が実施されうる。加えて本開示の範囲は、本明細書で述べられる本開示の様々な態様の他に、または本開示の様々な態様に加えて、他の構造、機能、または構造および機能を使用して実施されるそのような装置または方法をカバーするように意図されている。本明細書で開示される開示のいずれの態様も、請求項の１つまたは複数の要素によって具現化されうることは理解されるべきである。
【００２０】
[0035]「実例的（exemplary）」という言葉は、「例、事例、または例示としての役目をする」を意味するように本明細書では使用される。「例示的」と本明細書で説明されるいずれの態様も、必ずしも、他の態様よりも好まれる、または有利であると解釈されるべきではない。
【００２１】
[0036]特定の態様が本明細書で説明されるものの、これらの態様の多くのバリエーションおよび置換が、本開示の範囲内に含まれる。好まれる態様のいくつかの利益および利点が言及されるものの、本開示の範囲は、特定の利益、使用、または目的に限定されるようには意図されていない。むしろ、本開示の態様は、種々のワイヤレス技術、システム構成、ネットワーク、および送信プロトコルに広く適用可能であるように意図されており、そのうちのいくつかは、好まれる態様の以下の説明においておよび図において、例として例示される。詳細な説明および図面は、限定するよりもむしろ本開示を単に例示しているに過ぎず、本開示の範囲は、添付の請求項およびそれらの同等物によって定義される。
【００２２】
例となるワイヤレス通信システム
[0037]本明細書で説明される技法は、直交多重化スキームに基づく通信システムを含む、様々なブロードバンドワイヤレス通信システムのために使用されうる。このような通信システムの例は、空間分割多元接続（ＳＤＭＡ）、時分割多元接続（ＴＤＭＡ）、直交周波数分割多元接続（ＯＦＤＭＡ）システム、単一キャリア周波数分割多元接続（ＳＣ−ＦＤＭＡ）システム等を含む。ＳＤＭＡシステムは、複数のユーザ端末に属するデータを同時に送信するために、足るだけの異なる方向を利用しうる。ＴＤＭＡシステムは、複数のユーザ端末が、異なる時間スロットに送信信号を分割することによって同じ周波数チャネルを共有することを可能にし得、各時間スロットは、異なるユーザ端末に割り当てられる。ＯＦＤＭＡシステムは、全システム帯域幅を複数の直交サブキャリアに区分化する変調技法である直交周波数分割多重化（ＯＦＤＭ）を利用する。これらのサブキャリアは、トーン、ビン等とも呼ばれうる。ＯＦＤＭでは、各サブキャリアが、データで独立して変調されうる。ＳＣ−ＦＤＭＡシステムは、システム帯域幅中で分配されるサブキャリア上で送信するためにインターリーブされたＦＤＭＡ（ＩＦＤＭＡ）を、隣接するサブキャリアのブロック上で送信するために局所化された（localized）ＦＤＭＡ（ＬＦＤＭＡ）を、または隣接するサブキャリアの複数のブロック上で送信するために強化されたＦＤＭＡ（ＥＦＤＭＡ）を利用しうる。一般に、変調シンボルは、ＯＦＤＭでは周波数ドメインにおいて、およびＳＣ−ＦＤＭＡでは時間ドメインにおいて送られる。
【００２３】
[0038]本明細書における教示は、様々な有線またはワイヤレス装置（たとえば、ノード）に組み込まれうる（たとえば、様々な有線またはワイヤレス装置内で実装されうる、または様々な有線またはワイヤレス装置によって実行されうる）。いくつかの態様では、本明細書における教示にしたがって実装されるワイヤレスノードは、アクセスポイントまたはアクセス端末を備えうる。
【００２４】
[0039]アクセスポイント（「ＡＰ」）は、ノードＢ、無線ネットワークコントローラ（「ＲＮＣ」）、進化型ノードＢ（ｅＮＢ）、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、または何らかの他の専門用語を備えうる、これらとして実装されうる、またはこれらとして知られうる。
【００２５】
[0040]アクセス端末（「ＡＴ」）は、加入者局、加入者ユニット、モバイル局、遠隔局、遠隔端末、ユーザ端末、ユーザエージェント、ユーザデバイス、ユーザ機器、ユーザ局、または何らかの他の専門用語を備えうる、これらとして実装されうる、またはこれらとして知られうる。いくつかの実装では、アクセス端末は、セルラ電話、コードレス電話、セッション開始プロトコル（「ＳＩＰ」）電話、ワイヤレスローカルループ（「ＷＬＬ」）局、パーソナルデジタルアシスタント（「ＰＤＡ」）、ワイヤレス接続能力を有するハンドヘルドデバイス、局（「ＳＴＡ」）、またはワイヤレスモデムに接続された何らかの他の適した処理デバイスを備えうる。したがって、本明細書で教示される１つまたは複数の態様は、電話（たとえば、セルラ電話またはスマートフォン）、コンピュータ（たとえば、ラップトップ）、ポータブル通信デバイス、ポータブルコンピューティングデバイス（たとえば、パーソナルデータアシスタント）、エンターテイメントデバイス（たとえば、音楽もしくはビデオデバイス、または衛星ラジオ）、全地球測位システムデバイス、あるいはワイヤレスまたは有線媒体を介して通信するように構成されるあらゆる他の適したデバイスに組み込まれうる。いくつかの態様では、ノードは、ワイヤレスノードである。そのようなワイヤレスノードは、たとえば、有線またはワイヤレス通信リンクを介した、ネットワーク（たとえば、インターネットまたはセルラネットワークのような広域ネットワーク）のための接続、またはネットワークへの接続を提供しうる。
【００２６】
[0041]図１は、アクセスポイントおよびユーザ端末をもつ多元接続多入力多出力（ＭＩＭＯ）システム１００を例示する。簡潔さのために、図１には１つのアクセスポイント１１０のみが図示される。アクセスポイントは一般に、ユーザ端末と通信する固定局であり、基地局または何らかの他の専門用語とも称されうる。ユーザ端末は、固定式または移動可能であり得、モバイル局、ワイヤレスデバイス、または何らかの他の専門用語とも称されうる。アクセスポイント１１０は、ダウンリンクおよびアップリンク上であらゆる所与の瞬間に１つまたは複数のユーザ端末１２０と通信しうる。ダウンリンク（すなわち、順方向リンク）は、アクセスポイントからユーザ端末への通信リンクであり、アップリンク（すなわち、逆方向リンク）は、ユーザ端末からアクセスポイントへの通信リンクである。ユーザ端末はまた、別のユーザ端末とピアツーピアで通信しうる。システムコントローラ１３０は、アクセスポイントに結合し、アクセスポイントのための調整および制御を提供する。
【００２７】
[0042]以下の開示の複数の部分が、空間分割多元接続（ＳＤＭＡ）を介して通信する能力を有するユーザ端末１２０を説明することになる一方で、ある特定の態様では、ユーザ端末１２０はまた、ＳＤＭＡをサポートしないいくつかのユーザ端末も含みうる。したがって、そのような態様では、アクセスポイント（ＡＰ）１１０は、ＳＤＭＡユーザ端末と非ＳＤＭＡユーザ端末との両方と通信するように構成されうる。このアプローチは、都合良く、より古いバージョンのユーザ端末（「レガシ」局）が、それらの有効寿命を伸ばして、企業に引き続き配置されたままでいることを可能にする一方で、適切であると判断された場合より新しいＳＤＭＡユーザ端末が導入されることを可能にしうる。
【００２８】
[0043]システム１００は、ダウンリンクおよびアップリンク上でのデータ送信のために、複数の送信アンテナおよび複数の受信アンテナを用いる。アクセスポイント１１０は、Ｎａｐ個のアンテナを装備し、ダウンリンク送信用には多入力（ＭＩ）を、およびアップリンク送信用には多出力（ＭＯ）を表す。Ｋ個の選択されたユーザ端末１２０のセットは集合的に、ダウンリンク送信用には多出力を、およびアップリンク送信用には多入力を表す。純粋なＳＤＭＡでは、Ｋ個のユーザ端末についてのデータシンボルストリームが、何らかの手段により、コード、周波数、または時間で多重化されない場合、Ｎａｐ≧Ｋ≧１を有することが望まれる。ＴＤＭＡ技法、ＣＤＭＡを用いた異なるコードチャネル、ＯＦＤＭを用いた互いに素なサブバンドのセット等を使用してデータシンボルストリームが多重化されうる場合、Ｋは、Ｎａｐよりも大きいことがある。各選択されたユーザ端末は、アクセスポイントにユーザ固有のデータを送信する、および／またはアクセスポイントからユーザ固有のデータを受信する。一般に、各選択されたユーザ端末は、１つまたは複数のアンテナ（すなわち、Ｎｕｔ≧１）を装備しうる。Ｋ個の選択されたユーザ端末は、同じまたは異なる数のアンテナを有しうる。
【００２９】
[0044]システム１００は、時分割複信（ＴＤＤ）システムまたは周波数分割複信（ＦＤＤ）システムでありうる。ＴＤＤシステムでは、ダウンリンクおよびアップリンクが、同じ周波数帯域を共有する。ＦＤＤシステムでは、ダウンリンクおよびアップリンクが、異なる周波数帯域を使用する。ＭＩＭＯシステム１００はまた、送信のために、単一のキャリアまたは複数のキャリアも利用しうる。各ユーザ端末は、（たとえば、コストを抑えるために）単一のアンテナを、または（たとえば、追加のコストがサポートされうる場合）複数のアンテナを装備しうる。ユーザ端末１２０が、異なる時間スロットに送信／受信を分割することによって同じ周波数チャネルを共有する場合、システム１００はまた、ＴＤＭＡシステムでもあり得、各時間スロットは、異なるユーザ端末１２０に割り当てられる。
【００３０】
[0045]図２は、ＭＩＭＯシステム１００における、アクセスポイント１１０、ならびに２つのユーザ端末１２０ｍおよび１２０ｘのブロック図を例示する。アクセスポイント１１０は、Ｎｔ個のアンテナ２２４ａ〜２２４ｔを装備する。ユーザ端末１２０ｍは、Ｎｕｔ，ｍ個のアンテナ２５２ｍａ〜２５２ｍｕを装備し、ユーザ端末１２０ｘは、Ｎｕｔ，ｘ個のアンテナ２５２ｘａ〜２５２ｘｕを装備する。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用される場合、「送信エンティティ」は、ワイヤレスチャネルを介してデータを送信する能力を有する、独立して動作する（independently operated）装置またはデバイスであり、「受信エンティティ」は、ワイヤレスチャネルを介してデータを受信する能力を有する、独立して動作する装置またはデバイスである。以下の説明では、下付きの文字「ｄｎ」はダウンリンクを指し、下付きの文字「ｕｐ」はアップリンクを指し、Ｎｕｐ個のユーザ端末が、アップリンク上での同時送信のために選択され、Ｎｄｎ個のユーザ端末が、ダウンリンク上での同時送信のために選択され、Ｎｕｐは、Ｎｄｎと等しくありうるか、または等しくないこともあり、ＮｕｐおよびＮｄｎは、各スケジューリング間隔の間、静的な値でありうるか、または変化しうる。ビームステアリング、または何らかの他の空間処理技法が、アクセスポイントおよびユーザ端末で使用されうる。
【００３１】
[0046]アップリンク上では、アップリンク送信のために選択された各ユーザ端末１２０で、ＴＸデータプロセッサ２８８が、データソース２８６からトラフィックデータを、およびコントローラ２８０から制御データを受信する。ＴＸデータプロセッサ２８８は、該ユーザ端末のために選択されたレートに関連付けられたコーディングおよび変調スキームに基づいて、該ユーザ端末についてのトラフィックデータを処理（たとえば、符号化、インターリーブ、および変調）し、データシンボルストリームを提供する。ＴＸ空間プロセッサ２９０は、該データシンボルストリームに対して空間処理を実行し、Ｎｕｔ，ｍ個のアンテナにＮｕｔ，ｍ個の送信シンボルストリームを提供する。各送信機ユニット（ＴＭＴＲ）２５４は、アップリンク信号を生成するために、それぞれの送信シンボルストリームを受信および処理（たとえば、アナログにコンバート、増幅、フィルタリング、および周波数のアップコンバート）する。Ｎｕｔ，ｍ個の送信機ユニット２５４は、Ｎｕｔ，ｍ個のアンテナ２５２からアクセスポイントへの送信のために、Ｎｕｔ，ｍ個のアップリンク信号を提供する。
【００３２】
[0047]Ｎｕｐ個のユーザ端末が、アップリンク上での同時送信のためにスケジューリングされうる。これらのユーザ端末の各々は、そのデータシンボルストリームに対して空間処理を実行し、その送信シンボルストリームのセットを、アップリンク上でアクセスポイントに送信する。
【００３３】
[0048]アクセスポイント１１０で、Ｎａｐ個のアンテナ２２４ａ〜２２４ａｐが、アップリンク上で送信するＮｕｐ個のユーザ端末の全てからアップリンク信号を受信する。各アンテナ２２４は、それぞれの受信機ユニット（ＲＣＶＲ）２２２に受信された信号を提供する。各受信機ユニット２２２は、送信機ユニット２５４によって実行されたものと相補的な処理を実行し、受信されたシンボルストリームを提供する。ＲＸ空間プロセッサ２４０は、Ｎａｐ個の受信機ユニット２２２からのＮａｐ個の受信されたシンボルストリームに対して受信機空間処理を実行し、Ｎａｐ個の復元されたアップリンクデータシンボルストリームを提供する。受信機空間処理は、チャネル相関マトリクス反転（ＣＣＭＩ）、最小平均二乗誤差（ＭＭＳＥ）、ソフト干渉除去（ＳＩＣ）、または何らかの他の技法にしたがって実行される。各復元されたアップリンクデータシンボルストリームは、それぞれのユーザ端末によって送信されたデータシンボルストリームの推定値である。ＲＸデータプロセッサ２４２は、復号されたデータを取得するために、そのストリームのために使用されるレートにしたがって各復元されたアップリンクデータシンボルストリームを処理（たとえば、復調、デインターリーブ、および復号）する。各ユーザ端末についての復号されたデータは、記憶のためにデータシンク２４４に、および／またはさらなる処理のためにコントローラ２３０に提供されうる。
【００３４】
[0049]ダウンリンク上では、アクセスポイント１１０で、ＴＸデータプロセッサ２１０が、ダウンリンク送信のためにスケジューリングされたＮｄｎ個のユーザ端末についてデータソース２０８からトラフィックデータを、コントローラ２３０から制御データを、および場合によってはスケジューラ２３４から他のデータを、受信する。様々なタイプのデータが、異なるトランスポートチャネル上で送られうる。ＴＸデータプロセッサ２１０は、各ユーザ端末についてのトラフィックデータを、そのユーザ端末のために選択されたレートに基づいて、処理（たとえば、符号化、インターリーブ、および変調）する。ＴＸデータプロセッサ２１０は、Ｎｄｎ個のユーザ端末についてのＮｄｎ個のダウンリンクデータシンボルストリームを提供する。ＴＸ空間プロセッサ２２０は、Ｎｄｎ個のダウンリンクデータシンボルストリームに対して（本開示で説明される場合、プリコーディングまたはビームフォーミングのような）空間処理を実行し、Ｎａｐ個のアンテナにＮａｐ個の送信シンボルストリームを提供する。各送信機ユニット２２２は、ダウンリンク信号を生成するために、それぞれの送信シンボルストリームを受信および処理する。Ｎａｐ個の送信機ユニット２２２は、Ｎａｐ個のアンテナ２２４からユーザ端末への送信のために、Ｎａｐ個のダウンリンク信号を提供する。
【００３５】
[0050]各ユーザ端末１２０で、Ｎｕｔ，ｍ個のアンテナ２５２が、アクセスポイント１１０からＮａｐ個のダウンリンク信号を受信する。各受信機ユニット２５４は、関連付けられたアンテナ２５２からの受信された信号を処理し、受信されたシンボルストリームを提供する。ＲＸ空間プロセッサ２６０が、Ｎｕｔ，ｍ個の受信機ユニット２５４からのＮｕｔ，ｍ個の受信されたシンボルストリームに対して受信機空間処理を実行し、該ユーザ端末のための復元されたダウンリンクデータシンボルストリームを提供する。受信機空間処理は、ＣＣＭＩ、ＭＭＳＥ、または何らかの他の技法にしたがって実行される。ＲＸデータプロセッサ２７０は、ユーザ端末ための復号されたデータを取得するために、復元されたダウンリンクデータシンボルストリームを処理（たとえば、復調、デインターリーブ、および復号）する。
【００３６】
[0051]各ユーザ端末１２０で、チャネル推定器２７８が、ダウンリンクチャネル応答を推定し、ダウンリンクチャネル推定値を提供し、ダウンリンクチャネル推定値は、チャネル利得推定値、ＳＮＲ推定値、雑音分散等を含みうる。同様に、チャネル推定器２２８が、アップリンクチャネル応答を推定し、アップリンクチャネル推定値を提供する。各ユーザ端末のためのコントローラ２８０は通常、ユーザ端末のための空間フィルタマトリクスを、そのユーザ端末のためのダウンリンクチャネル応答マトリクスＨｄｎ，ｍに基づいて導出する。コントローラ２３０は、アクセスポイントのための空間フィルタマトリクスを、実効アップリンクチャネル応答マトリクスＨｕｐ，ｅｆｆに基づいて導出する。各ユーザ端末のためのコントローラ２８０は、アクセスポイントにフィードバック情報（たとえば、ダウンリンクおよび／またはアップリンク固有ベクトル、固有値、ＳＮＲ推定値等）を送りうる。コントローラ２３０および２８０はまた、アクセスポイント１１０およびユーザ端末１２０で、それぞれ、様々な処理ユニットの動作を制御する。
【００３７】
[0052]図１および図２で例示されるように、１つまたは複数のユーザ端末１２０は、たとえば、ＵＬ  ＭＵ−ＭＩＭＯ送信の一部としてアクセスポイント１１０に、（たとえば、図３Ａ−４で図示される例となるフォーマットのうちの１つにしたがった）本明細書で説明されるようなプリアンブルフォーマットをもつ、１つまたは複数の高効率ＷＬＡＮ（ＨＥＷ）パケット１５０を送りうる。各ＨＥＷパケット１５０は、１つまたは複数の空間ストリーム（たとえば、最大４）のセット上で送信されうる。ある特定の態様では、ＨＥＷパケット１５０のプリアンブル部分は、（たとえば、図４−５、および図７で例示される例となる実装のうちの１つにしたがった）トーンインターリーブされたＬＴＦ、サブバンドベースのＬＴＦ、またはハイブリッドＬＴＦを含みうる。
【００３８】
[0053]ＨＥＷパケット１５０は、ユーザ端末１２０でパケット生成ユニット２８７によって生成されうる。パケット生成ユニット２８７は、ユーザ端末１２０の処理システムにおいて、たとえば、ＴＸデータプロセッサ２８８、コントローラ２８０、および／またはデータソース２８６において、実装されうる。
【００３９】
[0054]ＵＬ送信後、ＨＥＷパケット１５０は、アクセスポイント１１０でパケット処理ユニット２４３によって処理（たとえば、復号および解釈）されうる。パケット処理ユニット２４３は、アクセスポイント１１０の処理システムにおいて、たとえば、ＲＸ空間プロセッサ２４０、ＲＸデータプロセッサ２４２、またはコントローラ２３０において、実装されうる。パケット処理ユニット２４３は、パケットタイプ（たとえば、そのＩＥＥＥ８０２．１１規格に対する改正に、受信されたパケットが準拠する（with which amendment to the IEEE 802.11 standard the received packet complies））に基づいて、受信されたパケットを各様に（differently）処理しうる。たとえば、パケット処理ユニット２４３は、ＩＥＥＥ８０２．１１ＨＥＷ規格に基づいてＨＥＷパケット１５０を処理しうるが、レガシパケット（たとえば、ＩＥＥＥ８０２．１１ａ／ｂ／ｇに準拠するパケット）を、それに関連付けられた規格改正にしたがって、異なる手法で解釈しうる。
【００４０】
チャネルボンディングのための例となるレガシ対応シグナリング
[0055]ある特定のネットワーク（たとえば、８０２．１１ａｘネットワーク）では、基本サービスセットの帯域幅は、最大１６０ＭＨｚであり得、効率を高めることを目的としたマルチユーザ送信をサポートしうる。ある特定の他のネットワークでは、ＢＳＳの帯域幅は、２０ＭＨｚのいずれの倍数（たとえば、３２０ＭＨｚ等）でもありうる。たとえば、トリガフレームは、並行した異なるサブチャネルにおける複数の局からのデータを請求するために使用され得、ここにおいて、サブチャネルは、幅が２０ＭＨｚでありうるか、またはサブチャネルの１つまたは複数の部分（たとえば、リソースユニット）から成りうる。
【００４１】
[0056]しかしながら、存在する１つの問題は、そのようなネットワークが度々、単一ユーザ（ＳＵ）モードで常に送信し、マルチユーザ送信をサポートする能力を有さないレガシ局（ＳＴＡ）（たとえば、１１ａ、１１ｎ、１１ａｃ等）もサポートすることである。一般に、レガシ局は、ネットワーク中の他のＳＴＡは解釈する能力を有する、新たな機能を解釈する能力を有さない。たとえば、図３で例示されるように、レガシパケットが送られるとき、レガシＳＴＡがマルチユーザ送信をサポートするシグナリングが存在しないので、マルチユーザ送信は実行されないことがある。これは、レガシＳＴＡが送信しているとき、セカンダリチャネル（たとえば、４０ＭＨｚ、８０ＭＨｚ、および／または１６０ＭＨｚ）がアイドル状態であり、他のＳＴＡに送信するために使用されることができる可能性があっても、プライマリ２０ＭＨｚチャネル帯域幅のみが使用されうるので、効率の損失をもたらしうる。
【００４２】
[0057]したがって、本開示の態様は、チャネルボンディングのためのレガシ対応シグナリングのための技法を提示し、それは、（たとえば、プライマリチャネルがレガシＳＴＡによって使用される一方で、セカンダリチャネルが複数のＳＴＡにＰＰＤＵを搬送受信するために使用されることを可能とすることによって）帯域幅のより効率的な使用を可能としうる。より具体的には、本開示の態様は、レガシおよび非レガシ（たとえば、高効率（ＨＥ））ＳＴＡをサポートするシステムにおけるダウンリンク（ＤＬ）およびアップリンク（ＵＬ）マルチユーザチャネル割り振りを可能とするための技法。いくつかのケースでは、これは、レガシＳＴＡがプライマリチャネル上で送信または受信することに並行してＨＥ  ＳＴＡがセカンダリチャネル上で送信または受信することを可能としうる情報（たとえば、チャネルボンディング情報）をレガシフレームにおいて「隠す」ことを伴いうる。ある特定の態様にしたがうと、チャネルボンディング情報は、ＨＥ局によって復号可能でありうるが、レガシ局によって復号可能でないことがある。
【００４３】
[0058]図４は、本開示のある特定の態様にしたがって、チャネルボンディングのためのレガシ対応シグナリングを提供するためにデバイスによって実行されうる例となる動作４００を例示する。動作４００は、アクセスポイント（たとえば、ＡＰ１１０）のような装置によって実行されうる。動作４００は、１つまたは複数のワイヤレスノードによるマルチユーザ（ＭＵ）通信に利用可能な１つまたは複数のチャネルを示すチャネルボンディング情報を有するフレームを生成することによって、４０２で始まりうる。４０４で、装置は、送信のために該フレームを出力しうる。
【００４４】
[0059]図５は、本開示のある特定の態様にしたがって、チャネルボンディングのためのレガシ対応シグナリングを受信するためにデバイスによって実行されうる例となる動作５００を例示する。動作５００は、ワイヤレスノード／局（たとえば、ＳＴＡ１２０）のような装置によって実行されうる。動作５００は、チャネルボンディング情報を備えるフレームを取得することによって、５０２で始まりうる。５０４で、ワイヤレスノードは、該フレームに含まれる該チャネルボンディング情報に基づいて、マルチユーザ（ＭＵ）送信に利用可能な１つまたは複数のチャネルを決定する。５０６で、ワイヤレスノードは、ＭＵ通信に利用可能であると決定された該チャネルのうちの該１つまたは複数上での送信のためにデータを出力する。
【００４５】
[0060]上で着目されたように、レガシＳＴＡ（すなわち、チャネルボンディングをサポートしないＳＴＡ）がプライマリチャネル上で送信または受信することに並行してＨＥ  ＳＴＡがセカンダリチャネル上で送信または受信することを可能としうるシグナリングが、レガシフレームにおいてアクセスポイントによって提供されうる。レガシ対応シグナリングは、様々な方法で提供されうる。たとえば、チャネルボンディングのためのレガシ対応シグナリングを提供する１つの方法は、ＰＨＹプロトコルデータユニット（ＰＰＤＵ）のサービスフィールドにおいて該シグナリングを提供することでありうる。
【００４６】
[0061]図６Ａは、本開示の特定のある態様にしたがった、ＰＰＤＵ６００Ａについてのフレームフォーマットを例示する。例示されるように、ＰＰＤＵは、Ｌ−ＳＴＦ／Ｌ−ＬＴＦ／ＬＳＩＧフィールド６０２Ａ、サービスフィールド６０４Ａ、およびＰＨＹサービスデータユニット６０６Ａを備えうる。加えて、図６Ｂで例示されるように、サービスフィールド６０４Ａは、１６ビット（たとえば、ビット０−１５）を備え得、それは、（たとえば、ビット０−６に広がる）スクランブラ初期化部分６０８Ｂおよび（たとえば、ビット７−１５に広がる）リザーブされた部分６１０Ｂに分けられうる。
【００４７】
[0062]ある特定の態様にしたがうと、チャネルボンディングのためのレガシ対応シグナリングは、サービスフィールド６０４Ａのスクランブラ初期化部分６０８Ｂおよび／またはリザーブされた部分６１０Ｂにおいて提供されうる。加えて、いくつかのケースでは、サービスフィールド６０４Ａのリザーブされた部分６１０Ｂにおけるビットのうちの１つまたは複数は、サービスフィールド６０４Ａにおいて運ばれる情報を保護するために使用されうる。さらに、ビットＢ８−Ｂ１５は、ＰＰＤＵ６００Ａのタイプに依存して各様に設定されうる。たとえば、ＰＰＤＵ６００Ａが高スループット（ＨＴ）ＰＰＤＵを備える場合、ビットＢ８−Ｂ１５は、全て０に設定されうる。加えて、ＰＰＤＵ６００Ａが超高スループット（ＶＨＴ）ＰＰＤＵを備える場合、ビットＢ８−Ｂ１５は、ＳＩＧ−Ｂ巡回冗長検査（ＣＲＣ）を備えうる。
【００４８】
[0063]ある特定の態様にしたがうと、チャネルボンディングのためのレガシ対応シグナリングは、レガシ送信（たとえば、１１ａ、１１ｎ、１１ａｃ、および／またはＨＥ単一ユーザ送信）と並行したマルチユーザＵＬ／ＤＬ送信のために使用されうるアイドル状態チャネルのリスト（たとえば、チャネルインデックス、ＣＨ＿ＩＤＸ）を備えうる。いくつかのケースでは、アイドル状態チャネルにアクセスすることを可能にされるマルチユーザＳＴＡのリストは、アイドル状態チャネルのリストに先立ってＡＰによって提供されうる。
【００４９】
[0064]図７Ａおよび図７Ｂは、サービスフィールドのスクランブラ初期化部分６０８Ｂにおけるビットへのセカンダリアイドル状態チャネル帯域幅の例となるマッピングを例示する。たとえば、図７Ａは、プライマリチャネル帯域幅、ＣＢ＿Ｐ２、および対応するセカンダリチャネル帯域幅、ＣＢ＿Ｓ２を備えうるセカンダリ４０ＭＨｚチャネル帯域幅を例示する。加えて、例示されるように、セカンダリ８０ＭＨｚチャネル帯域幅は、プライマリチャネル帯域幅、ＣＢ＿Ｐ３およびＣＢ＿Ｐ４、ならびに対応するセカンダリチャネル帯域幅、ＣＢ＿Ｓ３およびＣＢ＿Ｓ４を備えうる。
【００５０】
[0065]図７Ｂで例示されるように、チャネルインデックス、ＣＨＢ  ＩＤＸにおいてリストアップされるアイドル状態チャネル帯域幅は、サービスフィールド６０４Ａのスクランブラ初期化部分６０８Ｂのうちの３つ以上のビットの組合せを使用して示されうる。たとえば、６の値（すなわち、１１０）が、セカンダリ８０ＭＨｚチャネル帯域幅のプライマリチャネルＣＢ＿Ｐ３およびＣＢ＿Ｐ４がアイドル状態であることを示す一方で、０の値（すなわち、０００）は、どのセカンダリチャネルもアイドル状態でないことを示しうる。図７Ｂはアイドル状態チャネルへのビット値の１つのマッピングを例示するけれども、他のマッピングが存在しうることは理解されるべきである。
【００５１】
[0066]ある特定の態様にしたがうと、連続チャネルボンディングは、図７Ａで例示されたセカンダリアイドル状態チャネルを使用してサポートされうる。たとえば、例示されるように、チャネルボンディングに相応しい３つのチャネル（たとえば、ＣＢ＿Ｐ２、ＣＢ＿Ｐ３、およびＣＢ＿Ｐ４）が存在し得、一度プライマリチャネル（たとえば、ＣＢ＿Ｐ２）が送信のためにＳＴＡによって選択されると、ＡＰはまた、該ＳＴＡが対応するセカンダリチャネル（たとえば、ＣＢ＿Ｓ２）を介してその送信を拡大しうることを該ＳＴＡに通知しうる。ある特定の態様にしたがうと、連続チャネルボンディングがサポートされない場合、送信の帯域幅はアイドル状態セカンダリチャネル上のたった２０ＭＨｚでありうる一方で、連続チャネルボンディングがサポートされる場合、送信の帯域幅は最大４０ＭＨｚでありうる。
【００５２】
[0067]ある特定の態様にしたがうと、図７Ａおよび図７Ｂで例示されるマッピングは、１６０ＭＨｚの基本サービスセット（ＢＳＳ）帯域幅を想定する。しかしながら、ＢＳＳ帯域幅がより低いとき、アイドル状態チャネルを示すために必要とされるビット数は、より少なくなりうる（たとえば、３の代わりに２ビット）。したがって、残されたビットは、スクランブリングのために使用されうる。たとえば、ＢＳＳ帯域幅が８０ＭＨｚであるとき、最上位ビットはスクランブラに割り当てられうる。加えて、残されたビットは、より良好な分解能を提供するために使用されうる。たとえば、ＢＳＳ帯域幅が８０ＭＨｚであるとき、各ビットは、各２０ＭＨｚチャネルのステータスを示しうる。
【００５３】
[0068]上で着目されたように、チャネルボンディングのためのレガシ対応シグナリングを提供する別の方法は、サービスフィールドのリザーブされた部分においてアイドル状態チャネルのリストを示すことでありうる。
【００５４】
[0069]たとえば、図７Ｃで例示されるように、７ビットのビットマップが提供され得、ここにおいて、該ビットマップの各ビットが、チャネルボンディングに利用可能でありうる異なるアイドル状態チャネル（たとえば、図７Ａで例示されたようなＣＢ＿Ｐ２、ＣＢ＿Ｓ２、ＣＢ＿Ｐ３、ＣＢ＿Ｓ３等）を示しうる。加えて、サービスフィールドのリザーブされた部分における１ビットは、７ビットビットマップシーケンスを保護するためにパリティビットとして使用されうる（たとえば、誤りについて検査するために使用されうる）。ある特定の態様にしたがうと、送信の帯域幅は、このオプションについては２０ＭＨｚでありうる。加えて、ある特定の態様にしたがうと、このオプションは、８０２．１１ａｃから、送信要求（ＲＴＳ）／送信可（ＣＴＳ）帯域幅シグナリングを継承し得、スクランブリングのために（ＲＴＳにおいて）１ビット、および（ＣＴＳにおいて）２ビットを維持しうる。
【００５５】
[0070]ある特定の態様にしたがうと、ＨＥ  ＡＰは、１つまたは複数の「代替一時プライマリチャネル」（たとえば、図７Ａで例示されたセカンダリアイドル状態チャネル帯域幅）を定義しうる。いくつかのケースでは、ＡＰは、異なる代替一時プライマリチャネルをそのＨＥ  ＳＴＡの各々に割り振りうる（または予め割り振りうる、これは、チャネルの実際の利用可能性がシグナリングされる前に割り振られることを意味する）。
【００５６】
[0071]図８は、ある特定の態様にしたがうと、限定された帯域幅を用いた（レガシデータ）送信の前のある時点で（at some point）、ＡＰが、チャネルボンディングのためのレガシ対応シグナリング（たとえば、チャネルボンディング情報）を備える、チャネル割り振り（ＣＨＡ）フレーム（たとえば、データフレーム、ＲＴＳフレーム、ＣＴＳフレーム等）を送り、代替一時プライマリチャネル上での起こりうる同時ＨＥ送信（すなわち、ＭＵ送信）をＨＥ  ＳＴＡに知らせうることを例示する。いくつかのケースでは、ＣＨＡフレームにおけるチャネルボンディング情報は、割り振られたチャネルのうちの１つまたは複数がＭＵ通信に利用可能であるか否かを示す少なくとも１ビットを備える。いくつかのケースでは、該少なくとも１ビットは、該１つまたは複数のチャネルに対応する複数ビットを備え得、各ビットは、該対応する１つまたは複数のチャネルがＭＵ通信に利用可能であるか否かを示す。
【００５７】
[0072]ある特定の態様にしたがうと、それは、下記でより詳細に説明されることになるが、図８で例示されたように、ＨＥ  ＡＰは、プライマリチャネル（たとえば、２０ＭＨｚプライマリチャネル）においてチャネル割り振りを受信しうるレガシＳＴＡにチャネル割り振りフレームを送信しうる。チャネル割り振りフレームはまた、該チャネル割り振りフレームを受信すると、切り替わって該チャネル割り振りフレームにおいて示される代替一時プライマリチャネルにおいて（ＨＥ）ＰＰＤＵを待ちうる他のＨＥ  ＳＴＡによって受信されうる。ある特定の態様にしたがうと、ＨＥ  ＳＴＡは、チャネル割り振りフレームにおいて示された時間の間、またはチャネル割り振りフレーム外でネゴシエートされた予め定義された時間の間、代替一時プライマリチャネルに留まりうる（stay）。
【００５８】
[0073]図９は、その後に代替一時プライマリチャネル上でのＰＰＤＵ送信が開始される時間が、プライマリチャネル上での送信が開始される時間よりも長いことがあることを例示する。たとえば、図９は、ＰＰＤＵがプライマリ（たとえば、２０ＭＨｚ）チャネル上で送信される時間、Ｔ１が、チャネル割り振りフレームの送信後のＳＩＦＳ時間でありうるのに対し、ＰＰＤＵが代替一時プライマリチャネル上で送信される時間、Ｔ２は、チャネル割り振りフレームの送信後のＰＩＦＳ時間でありうることを例示する。ある特定の態様にしたがうと、プライマリチャネル上よりも後の時間に代替一時プライマリチャネル上で送信することは、プライマリチャネル上で送られるＰＰＤＵ送信の帯域幅の検出中、アンビギュイティ(ambiguities)を回避しうる。
【００５９】
[0074]図１０は、ＤＬ  ＰＰＤＵについてのチャネルボンディングのためのレガシ対応シグナリングを提供するタイムラインを例示し、ここにおいて、上で説明されたようなチャネル割り振りフレームは、ＲＴＳフレームを備える。たとえば、例示されるように、ＨＥ  ＡＰが、レガシ送信機会（ＴＸＯＰ）を開始して（またはレガシ送信機会（ＴＸＯＰ）中）、プライマリ２０ＭＨｚチャネル上でレガシＳＴＡ１にＲＴＳフレーム１００２を送信しうる。ある特定の態様にしたがうと、ＲＴＳフレーム１００２のサービスフィールドは、アイドル状態であり、チャネルボンディングに利用可能であるチャネルのリスト（たとえば、上で説明されたようなＣＨＢ＿ＩＤＸ）を備えうる。上で着目されたように、帯域幅／チャネルボンディングシグナリングは、サービスフィールドのスクランブラ初期化部分またはリザーブされた部分において提供されうる。加えて、いくつかのケースでは、ＲＴＳフレームは複製されうる（たとえば、ＡＰが能力を有する（capable）場合、それは、非レガシＳＴＡ３および４に「強化された」ＲＴＳフレーム１００４を送信しうる）。
【００６０】
[0075]図１０で例示されるように、ＡＰからＲＴＳフレーム１００２を受信すると（upon reception）、ＳＴＡ１は、ＣＴＳフレーム１００６で応答し得、プライマリチャネルがアイドル状態であると示す。加えて、チャネルボンディングの能力を有する意図されていない受信機（たとえば、チャネルボンディング（ＣＢ）ＳＴＡ３および４）は、ＲＴＳフレーム１００２を受信し、アイドル状態チャネルのリスト（すなわち、ＣＨＢ＿ＩＤＸ）を決定しうる。たとえば、ＣＢ  ＳＴＡは、それらの予め割り振られたチャネルボンディングチャネルがアイドル状態チャネルのリストに含まれるかどうかを検査しうる。ＣＢ  ＳＴＡが、その予め割り振られたチャネルボンディングチャネルのうちの１つがアイドル状態チャネルリストにあると決定する場合、ＣＢ  ＳＴＡは、ＤＬバッファユニット（ＢＵ）（すなわち、ダウンリンクデータ）を受信するために該予め割り振られたチャネルボンディングチャネルのうちの１つまたは複数に同期しうる。ある特定の態様にしたがうと、ＣＢ  ＳＴＡは、同期するために２＊ショートフレーム間間隔（ＳＩＦＳ）＋ＣＴＳＴｘ時間を有しうる。いくつかのケースでは、全二重モードがサポートされ得、ここにおいて、ＡＰがチャネルボンディングをサポートしないＳＴＡにＤＬ  ＢＵを送信している間に、ＣＢ  ＳＴＡは、ＵＬ  ＢＵを送信できることがある。
【００６１】
[0076]図１０で例示されるように、チャネルボンディングＳＴＡはその後、レガシＳＴＡ１へのデータ搬送と並行して、割り振られたチャネルボンディングチャネルにおいてＡＰからＤＬ  ＢＵ１００８を受信しうる。ＳＴＡはその後、それらの割り振られたチャネル帯域幅において、確認応答（ＡＣＫ）を送信しうる。
【００６２】
[0077]上で着目されたように、チャネルボンディングＳＴＡは、レガシ局向けのＲＴＳフレーム１００２を受信し得、予め割り振られたチャネルボンディングチャネルが、ＲＴＳフレームにおけるアイドル状態チャネルのリスト内に含まれるかどうかを決定しうる。しかしながら、レガシＴＸＯＰ中にＤＬ  ＢＵを受信するようにスケジューリングされたＣＢ  ＳＴＡは、ＣＢ＿ＩＤＸリスト（すなわち、アイドル状態チャネルのリスト）におけるチャネルのうちのどれが、それらのＤＬ  ＢＵのために予め割り振られているかを知る必要がある。
【００６３】
[0078]ある特定の態様にしたがうと、ＡＰは、様々な方法で、予め割り振られたチャネルの割り当てのインジケーションをＳＴＡに提供しうる。たとえば、ＡＰは、その間にＣＢシグナリング（すなわち、アイドル状態チャネルのリスト）をもつＲＴＳが送られるビーコン間隔（ＢＩ）に先行するビーコンにおいて、予め割り振られたチャネル割り当て情報を搬送しうる。ある特定の態様にしたがうと、１つよりも多いＣＢ  ＳＴＡが、所与のＣＢチャネルのために指定され得、該インジケーションは、１つのＢＩの間、有効でありうる。
【００６４】
[0079]ある特定の態様にしたがうと、ＡＰは、その間にＣＢシグナリングをもつＲＴＳが送られるターゲットウェイク時間（ＴＷＴ）サービス期間（ＳＰ）に先行するＴＷＴ要素において、予め割り振られたチャネル割り当て情報を搬送しうる。同様に、１つより多いＣＢ  ＴＷＴ  ＳＴＡが、所与のＣＢチャネルのために指定され得、該インジケーションは、１つまたは複数のＴＷＴ  ＳＰの間、有効でありうる。
【００６５】
[0080]ある特定の態様にしたがうと、ＡＰは、ＣＢシグナリングをもつＲＴＳフレームより前にＣＢ  ＳＴＡ（複数を含む）に送られるフレームにおいて、予め割り振られたチャネル割り当て情報を搬送しうる。たとえば、ＡＰは、ＲＴＳフレームを送信するより前のＳＩＦＳまたはそれより多い時間に（at a time of SIFS or more）ＣＢ  ＳＴＡ（複数を含む）にトリガを送りうる。該インジケーションは、フレーム自体において指定またはネゴシエートされうる、予め定義された量の時間の間、有効でありうる。
【００６６】
[0081]加えて、いくつかのケースでは、ＡＰは、チャネル割り振りフレーム（たとえば、ＲＴＳおよび／またはＣＴＳフレーム）自体において割り振られたチャネル割り当て情報を搬送し得、それは、予め定義された量の時間の間、有効でありうる。
【００６７】
[0082]図１１は、ＵＬ  ＰＰＤＵについてのチャネルボンディングのためのレガシ対応シグナリングを提供するタイムラインを例示し、ここにおいて、上で説明されたようなチャネル割り振りフレームは、ＣＴＳフレームを備える。たとえば、レガシＳＴＡ（たとえば、ＳＴＡ１）は、ＨＥ  ＡＰにＲＴＳ１１０２を送信しうる。ＲＴＳフレーム１１０２を受信すると、ＨＥ  ＡＰは、レガシＴＸＯＰ中にＳＴＡ１にＣＴＳフレーム１１０４を送信しうる。ある特定の態様にしたがうと、ＣＴＳフレーム１１０４のサービスフィールドは、アイドル状態であり、チャネルボンディングに利用可能であるチャネルのリスト（たとえば、ＣＨＢ＿ＩＤＸ）を備えうる。上で着目されたように、帯域幅／チャネルボンディングシグナリングは、サービスフィールドのスクランブラ初期化部分またはリザーブされた部分において提供されうる。加えて、いくつかのケースでは、ＣＴＳフレーム１１０４が複製されうる（たとえば、ＡＰが能力を有する場合、それは、ＣＢ  ＳＴＡ３および４に「強化された」ＣＴＳフレーム１１０６を送信しうる）。いくつかのケースでは、ＡＰはまた、ＳＴＡ１のために自己のためのＣＴＳ（CTS-to-self）としてＣＴＳフレームを送信しうる。
【００６８】
[0083]ある特定の態様にしたがうと、ＣＴＳフレームを受信すると、ＳＴＡ１は、データ（すなわち、ＵＬ  ＢＵ）１１０８で応答しうる。加えて、チャネルボンディングの能力を有する意図されていない受信機（たとえば、チャネルボンディング（ＣＢ）ＳＴＡ３および４）は、ＣＴＳフレーム１１０４を受信し、アイドル状態チャネルのリスト（すなわち、ＣＨＢ＿ＩＤＸ）を決定しうる。たとえば、ＣＢ  ＳＴＡは、それらの予め割り振られたチャネルボンディングチャネルがアイドル状態チャネルのリストに含まれるかどうかを検査しうる。ＣＢ  ＳＴＡが、その予め割り振られたチャネルボンディングチャネルのうちの１つがアイドル状態チャネルリストにあると決定する場合、ＣＢ  ＳＴＡは、ＵＬバッファユニット（ＢＵ）を送信するために該予め割り振られたチャネルボンディングチャネルのうちの１つまたは複数に同期しうる。いくつかのケースでは、ＣＢは、その上で送信すべきアイドル状態チャネルのうちの１つをランダムに選択できることがある。ＣＢ  ＳＴＡはその後、図１１で例示されるように、時間の点で交互に配列されたＳＩＦＳの後、または媒体がアイドル状態ＰＩＦＳであった場合にはＣＴＳの前、のどちらかで、それらの示されたＣＢチャネル上でデータ（すなわち、ＵＬ  ＢＵ）を送信しうる。
【００６９】
[0084]ある特定の態様にしたがうと、いくつかのケースでは、全二重モードがサポートされ得、ここにおいて、ＡＰがチャネルボンディングをサポートしないＳＴＡからＵＬ  ＢＵを受信している間に、ＣＢ  ＳＴＡは、ＡＰからＤＬ  ＢＵを受信できることがある。
【００７０】
[0085]上で着目されたように、ＣＢ  ＳＴＡは、レガシ局向けのＣＴＳフレームを受信し得、予め割り振られたチャネルボンディングチャネルがＣＴＳフレームにおけるアイドル状態チャネルのリスト内に含まれるかどうかを決定しうる。しかしながら、レガシＴＸＯＰ中にＵＬ  ＢＵを送信するようにスケジューリングされたＣＢ  ＳＴＡは、ＣＢ＿ＩＤＸリスト（すなわち、アイドル状態チャネルのリスト）におけるチャネルのうちのどれが、それらのＵＬ  ＢＵのために予め割り振られているかを知る必要がある。割り振られたチャネルを知ることは、ＣＢチャネルにおけるアクセスが、どれも１つのＣＢ  ＳＴＡに過ぎない（すなわち、競争がない）ＳＩＦＳ時間に行われる場合、特に重要でありうる。
【００７１】
[0086]ある特定の態様にしたがうと、ＡＰは、その間にＣＢシグナリングをもつＣＴＳが送られるビーコン間隔（ＢＩ）に先行するビーコンにおいて、ＣＢチャネルの割り振りについての情報を搬送しうる。ある特定の態様にしたがうと、１つより多いＣＢ  ＳＴＡが、所与のＣＢチャネルのために指定され得、該インジケーションは、１つのＢＩの間、有効でありうる。加えて、このオプションは、ＣＢ  ＳＴＡがＣＢチャネルを求めて競争することを可能にされるときに利用可能でありうる。
【００７２】
[0087]ある特定の態様にしたがうと、ＡＰは、その間にＣＢシグナリングをもつＣＴＳが送られるＴＷＴ  ＳＰに先行するＴＷＴ要素において、ＣＢチャネルの割り振りについての情報を搬送しうる。同様に、１つより多いＣＢ  ＴＷＴ  ＳＴＡが、所与のＣＢチャネルのために指定され得、該インジケーションは、１つまたは複数のＴＷＴ  ＳＰの間、有効でありうる。
【００７３】
[0088]ある特定の態様にしたがうと、ＡＰは、ＣＢシグナリングをもつＣＴＳフレームより前にＣＢ  ＳＴＡ（複数を含む）に送られるフレームにおいて、ＣＢチャネルの割り振りについての情報を搬送しうる。たとえば、ＡＰは、ＣＴＳフレームを送信するより前にＳＩＦＳまたはそれより多い時間にＣＢ  ＳＴＡ（複数を含む）にトリガを送りうる。該インジケーションは、フレーム自体において指定またはネゴシエートされうる、予め定義された量の時間の間、有効でありうる。
【００７４】
[0089]ある特定の態様にしたがうと、ＣＢチャネルの割り振りについての情報はまた、割り振られたＣＢチャネルがＤＬのために割り当てられているのかＵＬのために割り当てられているのかのインジケーションを含みうる。いくつかのケースでは、ＣＢチャネルがＤＬのために割り当てられているのかＵＬのために割り当てられているのかについての情報は、どのセカンダリチャネルがアイドル状態であるかについてのインジケーションを含むＲＴＳフレームおよび／またはＣＴＳフレームのサービスフィールドにおいて示されうる。
【００７５】
[0090]上で説明された方法の様々な動作が、対応する機能を実行する能力を有するあらゆる適した手段によって実行されうる。手段は、回路、特定用途向け集積回路（ＡＳＩＣ）、またはプロセッサに限定されないがこれらを含む、様々なハードウェアおよび／またはソフトウェアコンポーネント（複数を含む）および／またはモジュール（複数を含む）を含みうる。一般に、図において例示される動作が存在する場合、それらの動作は、同様の参照番号を付した、対応する同等の（counterpart）ミーンズプラスファンクションコンポーネントを有しうる。たとえば、図４で例示された動作４００は、図４Ａで例示された手段４００Ａに対応する。加えて、図５で例示された動作５００は、図５Ａで例示された手段５００Ａに対応する。
【００７６】
[0091]たとえば、送信するための手段（または送信のために出力するための手段）は、図２で例示された、アクセスポイント１１０の送信機（たとえば、送信機ユニット２２２）および／またはアンテナ（複数を含む）２２４、あるいはユーザ端末１２０の送信機ユニット２５４および／またはアンテナ（複数を含む）２５２を備えうる。受信するための手段（または取得のための手段）は、図２で例示された、アクセスポイント１１０の受信機（たとえば、受信機ユニット２２２）および／またはアンテナ（複数を含む）２２４、あるいはユーザ端末１２０の受信機ユニット２５４および／またはアンテナ（複数を含む）２５４を備えうる。処理するための手段、生成するための手段、周波数オフセット調整を実行するための手段、決定するための手段、使用するための手段（たとえば、サービスフィールドの１または複数ビットを使用するための手段）、および／または提供するための手段は、処理システムを備え得、それは、図２で例示されたアクセスポイント１１０のＲＸデータプロセッサ２４２、ＴＸデータプロセッサ２１０、ＴＸ空間プロセッサ２２０、および／またはコントローラ２３０、あるいは、ユーザ端末１２０のＲＸデータプロセッサ２７０、ＴＸデータプロセッサ２８８、ＴＸ空間プロセッサ２９０、および／またはコントローラ２８０、のような１つまたは複数のプロセッサを含みうる。
【００７７】
[0092]いくつかのケースでは、フレームを実際に送信するのではなく、デバイスは、送信のためにフレームを出力するためのインターフェース（出力するための手段）を有しうる。たとえば、プロセッサは、送信のために無線周波数（ＲＦ）フロントエンドに、バスインターフェースを介して、フレームを出力しうる。同様に、フレームを実際に受信するのではなく、デバイスは、別のデバイスから受信されたフレームを取得するためのインターフェース（取得するための手段）を有しうる。たとえば、プロセッサは、受信のためにＲＦフロントエンドから、バスインターフェースを介して、フレームを取得（または受信）しうる。
【００７８】
[0093]本明細書で使用される場合、「決定する」という用語は、幅広い種類のアクションを含む。たとえば、「決定する」は、計算する、コンピューティングする、処理する、導出する、調査する、検索する（たとえば、表、データベース、または別のデータ構造を検索する）、確定する等を含みうる。また、「決定する」は、受信する（たとえば、情報を受信する）、アクセスする（たとえば、メモリにおけるデータにアクセスする）等を含みうる。また、「決定する」は、解消する、選択する、選ぶ、確立する等を含みうる。
【００７９】
[0094]本明細書で使用される場合、項目のリスト「のうちの１つの少なくとも１つ」を指すフレーズは、単一のメンバを含む、それらの項目のいずれの組合せも指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃに加えて、複数の同じ要素をもついずれの組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃのあらゆる他の順序）もカバーするように意図されている。
【００８０】
[0095]本開示と関係して説明された、様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、ディスクリートゲートまたはトランジスタ論理回路、ディスクリートハードウェアコンポーネント、あるいは本明細書で説明された機能を実行するように設計された、それらのあらゆる組合せを用いて実装または実行されうる。汎用プロセッサは、マイクロプロセッサでありうるが、その代わりに、プロセッサは、あらゆる商業的に利用可能なプロセッサ、コントローラ、マイクロコントローラ、またはステートマシンでありうる。プロセッサはまた、コンピューティングデバイスの組合せ、たとえば、ＤＳＰおよびマイクロプロセッサの組合せ、複数のマイクロプロセッサ、ＤＳＰコアと連結した１つまたは複数のマイクロプロセッサ、またはあらゆる他のそのような構成、としても実装されうる。
【００８１】
[0096]本開示と関係して説明された方法またはアルゴリズムのステップは、ハードウェアで直接、プロセッサによって実行されるソフトウェアモジュールで、またはその２つの組合せで、具現化されうる。ソフトウェアモジュールは、当該技術分野で知られているあらゆる形態の記憶媒体に存在しうる。使用されうる記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭ等を含む。ソフトウェアモジュールは、単一の命令または多くの命令を備え得、いくつかの異なるコードセグメントにわたって、異なるプログラム間で、および複数の記憶媒体中で、分配されうる。記憶媒体は、プロセッサが記憶媒体から情報を読み取りうるように、および記憶媒体に情報を書き込みうるように、プロセッサに結合されうる。代わりとして、記憶媒体はプロセッサに不可欠ありうる。
【００８２】
[0097]本明細書で開示された方法は、説明された方法を実現するための１つまたは複数のステップまたはアクションを備える。方法のステップおよび／またはアクションは、請求項の範囲から逸脱することなく、互いに置き換えられうる。言い換えると、ステップまたはアクションの特定の順序が指定されない限り、特定のステップおよび／またはアクションの順序および／または使用は、請求項の範囲から逸脱することなく変更されうる。
【００８３】
[0098]説明された機能は、ハードウェア、ソフトウェア、ファームウェア、またはそれらのあらゆる組合せにおいて実行されうる。ハードウェアにおいて実行される場合、例となるハードウェア構成は、ワイヤレスノードにおいて処理システムを備えうる。処理システムは、バスアーキテクチャで実装されうる。バスは、処理システムの特定のアプリケーションおよび全設計制約に依存して、あらゆる数の相互接続するバスおよびブリッジを含みうる。バスは、プロセッサ、機械可読媒体、およびバスインターフェースを含む様々な回路を互いにリンクさせうる。バスインターフェースは、特に、バスを介して処理システムにネットワークアダプタを接続するために使用されうる。ネットワークアダプタは、ＰＨＹレイヤの信号処理機能を実行するために使用されうる。ユーザ端末１２０（図１を参照）のケースでは、ユーザインターフェース（たとえば、キーパッド、ディスプレイ、マウス、ジョイスティック等）もまた、バスに接続されうる。バスはまた、タイミングソース、周辺機器、電圧レギュレータ、電力管理回路等のような様々な他の回路をリンクさせ得、これらは、当該技術分野において周知であり、したがってこれ以上説明されない。
【００８４】
[0099]プロセッサは、バスを管理すること、および機械可読媒体上に記憶されたソフトウェアの実行を含む一般的な処理を担いうる。プロセッサは、１つまたは複数の汎用および／または専用プロセッサで実装されうる。例は、マイクロプロセッサ、マイクロコントローラ、ＤＳＰプロセッサ、およびソフトウェアを実行しうる他の回路を含む。ソフトウェアは、ソフトウェア、ファームウェア、ミドルウェア、マイクロコード、ハードウェア記述言語、または他の形で称されるかどうかに関わらず、命令、データ、またはそれらのあらゆる組合せを意味するように広く解釈されるものとする。機械可読媒体は、例として、ＲＡＭ（ランダムアクセスメモリ）、フラッシュメモリ、ＲＯＭ（読み取り専用メモリ）、ＰＲＯＭ（プログラマブル読み取り専用メモリ）、ＥＰＲＯＭ（消去可能なプログラマブル読み取り専用メモリ）、ＥＥＰＲＯＭ（電気的に消去可能なプログラマブル読み取り専用メモリ）、レジスタ、磁気ディスク、光学ディスク、ハードドライブ、またはあらゆる他の適した記憶媒体、あるいはそれらのあらゆる組合せを含みうる。機械可読媒体は、コンピュータプログラム製品において具現化されうる。コンピュータプログラム製品は、パッケージ材料を備えうる。
【００８５】
[00100]ハードウェア実装では、機械可読媒体は、プロセッサとは別個の処理システムの一部でありうる。しかしながら、当業者が容易に認識することになるように、機械可読媒体、またはそのいずれの部分も、処理システムの外部にあることがある。例として、機械可読媒体は、伝送回線、データによって変調されたキャリア波、および／またはワイヤレスノードとは別個のコンピュータ製品を含み得、それら全てが、バスインターフェースを通じてプロセッサによってアクセスされうる。代わりとして、または加えて、機械可読媒体、またはそのいずれの部分も、キャッシュおよび／または汎用レジスタファイルが用いられうるような場合、プロセッサに統合されうる。
【００８６】
[00101]処理システムは、プロセッサ機能を提供する１つまたは複数のマイクロプロセッサ、および機械可読媒体の少なくとも一部分を提供する外部メモリをもち、全てが外部バスアーキテクチャを通じて他のサポート回路と互いにリンクされている、汎用処理システムとして構成されうる。代わりとして、処理システムは、プロセッサ、バスインターフェース、アクセス端末のケースでは）ユーザインターフェース、サポート回路、および単一のチップに統合された機械可読媒体の少なくとも一部分をもつＡＳＩＣ（特定用途向け集積回路）で、あるいは１つまたは複数のＦＰＧＡ（フィールドプログラマブルゲートアレイ）、ＰＬＤ（プログラマブル論理デバイス）、コントローラ、ステートマシン、ゲート論理回路、ディスクリートハードウェアコンポーネント、もしくは何らかの他の適した回路、または本開示全体を通じて説明されている様々な機能を実行しうる回路のあらゆる組合せで、実装されうる。当業者は、特定のアプリケーションおよびシステム全体に課された全設計制約に依存して、処理システムについて説明された機能をどのように実行することが最善かを認めるだろう。
【００８７】
[00102]機械可読媒体は、多数のソフトウェアモジュールを備えうる。該ソフトウェアモジュールは、プロセッサによって実行されるとき、処理システムに様々な機能を実行させる命令を含む。ソフトウェアモジュールは、送信モジュールおよび受信モジュールを含みうる。各ソフトウェアモジュールは、単一の記憶デバイスに存在しうる、または複数の記憶デバイス中で分配されうる。例として、ソフトウェアモジュールは、トリガイベントが生じたとき、ハードドライブからＲＡＭにロードされうる。ソフトウェアモジュールの実行中、プロセッサは、アクセススピードを上げるために、命令のうちのいくつかをキャッシュにロードしうる。１つまたは複数のキャッシュラインがその後、プロセッサによる実行のために汎用レジスタファイルにロードされうる。下記においてソフトウェアモジュールの機能を指すとき、そのような機能が、そのソフトウェアモジュールからの命令を実行するときにプロセッサによって実行されることは理解されるだろう。
【００８８】
[00103]ソフトウェアにおいて実行される場合、機能は、コンピュータ可読媒体上で１つまたは複数の命令またはコードとして、記憶または送信されうる。コンピュータ可読媒体は、１つの場所から別の場所へのコンピュータプログラムの転送を容易にするあらゆる媒体を含む通信媒体とコンピュータ記憶媒体との両方を含む。記憶媒体は、コンピュータによってアクセスされうるあらゆる利用可能な媒体でありうる。限定ではなく例として、そのようなコンピュータ可読媒体は、ＲＡＭ、ＲＯＭ、ＥＥＰＲＯＭ、ＣＤ−ＲＯＭまたは他の光学ディスクストレージ、磁気ディスクストレージまたは他の磁気記憶デバイス、あるいは命令またはデータ構造の形態で所望のプログラムコードを運ぶ、または記憶するために使用されうる、およびコンピュータによってアクセスされうるあらゆる他の媒体を備えうる。また、あらゆる接続手段がコンピュータ可読媒体と適当に名付けられる。たとえば、ソフトウェアが、ウェブサイトから、サーバから、あるいは同軸ケーブル、光ファイバケーブル、ツイストペア、デジタル加入者線（ＤＳＬ）、または赤外線や、無線や、マイクロ波のようなワイヤレス技術を使用する他の遠隔ソースから送信された場合、同軸ケーブル、光ファイバケーブル、ツイストペア、ＤＳＬ、または赤外線や、無線や、マイクロ波のようなワイヤレス技術は、媒体の定義に含まれる。ディスク（disk）およびディスク（disc）は、本明細書で使用される場合、コンパクトディスク（disc）（ＣＤ）、レーザーディスク（登録商標）（disc）、光学ディスク（disc）、デジタル多用途ディスク（disc）（ＤＶＤ）、フロッピー（登録商標）ディスク（disk）、およびブルーレイディスク（disc）を含み、ここで、ディスク（disk）が通常、磁気的にデータを再生する一方で、ディスク（disc）は、レーザーを用いて光学的にデータを再生する。したがって、いくつかの態様では、コンピュータ可読媒体は、非一時的なコンピュータ可読媒体（たとえば、有体媒体）を備えうる。加えて、他の態様では、コンピュータ可読媒体は、一時的なコンピュータ可読媒体（たとえば、信号）を備えうる。上記の組合せもまた、コンピュータ可読媒体の範囲内に含まれるべきである。
【００８９】
[00104]したがって、ある特定の態様は、本明細書で提示された動作を実行するためのコンピュータプログラム製品を備えうる。たとえば、このようなコンピュータプログラム製品は、命令を記憶（および／または符号化）しているコンピュータ可読媒体を備え得、該命令は、本明細書で説明された動作を実行するように１つまたは複数のプロセッサによって実行可能である。ある特定の態様では、コンピュータプログラム製品は、パッケージ材料を含みうる。
【００９０】
[00105]さらに、本明細書で説明された方法および技法を実行するためのモジュールおよび／または他の適切な手段が、適用可能である場合ユーザ端末および／または基地局によってダウンロードされうる、および／または別の形で取得されうることは認識されるべきである。たとえば、そのようなデバイスは、本明細書で説明された方法を実行するための手段の転送を容易にするためにサーバに結合されうる。代わりとして、本明細書で説明された様々な方法は、記憶手段（たとえば、ＲＡＭ、ＲＯＭ、コンパクトディスク（ＣＤ）またはフロッピーディスクのような物理記憶媒体等）を介して、ユーザ端末および／または基地局が、デバイスに該記憶手段を結合または提供すると該様々な方法を取得しうるように、提供されうる。さらに、デバイスに本明細書で説明された方法および技法を提供するためのあらゆる他の適した技法が、利用されうる。
【００９１】
[00106]請求項が、上で例示された精密な構成およびコンポーネントに限定されないことは理解されることとする。請求項の範囲から逸脱することなく、上で説明された方法および装置の、配列、動作、および詳細において、様々な変更、変化、およびバリエーションが行われうる。
以下に本願の出願当初の特許請求の範囲に記載された発明を付記する。
［Ｃ１］
ワイヤレス通信のための装置であって、
１つまたは複数のワイヤレスノードによるマルチユーザ（ＭＵ）通信に利用可能な１つまたは複数のチャネルを示すチャネルボンディング情報を有するフレームを生成するように構成された処理システムと、
送信のために前記フレームを出力するように構成された第１のインターフェースと、
を備える、装置。
［Ｃ２］
前記チャネルボンディング情報は、前記１つまたは複数のチャネルがＭＵ通信に利用可能であるか否かを示す少なくとも１ビットを備える、Ｃ１に記載の装置。
［Ｃ３］
前記少なくとも１ビットは、前記１つまたは複数のチャネルに対応する複数ビットを備え、各ビットは、前記対応する１つまたは複数のチャネルがＭＵ通信に利用可能であるか否かを示す、Ｃ２に記載の装置。
［Ｃ４］
前記フレームは、第１のタイプの少なくとも１つのワイヤレスノード、および第２のタイプの少なくとも１つのワイヤレスノードによって復号可能であり、
前記チャネルボンディング情報は、前記少なくとも１つの第２のタイプのワイヤレスノードによって復号可能であるが、前記少なくとも１つの第１のタイプのワイヤレスノードによって復号可能でない、Ｃ１に記載の装置。
［Ｃ５］
前記フレームは、送信要求（ＲＴＳ）または送信可（ＣＴＳ）フレームを備える、Ｃ１に記載の装置。
［Ｃ６］
前記チャネルボンディング情報は、前記フレームのサービスフィールドの１または複数ビットを介して提供される、Ｃ１に記載の装置。
［Ｃ７］
前記サービスフィールドの前記１または複数ビットは、スクランブラ初期化のために前記装置によって使用される、Ｃ６に記載の装置。
［Ｃ８］
前記サービスフィールドの前記１または複数ビットのうちの少なくとも１つは、前記チャネルボンディング情報においてあらゆる誤りを検出するために前記装置によってパリティビットとして使用される、Ｃ６に記載の装置。
［Ｃ９］
前記チャネルボンディング情報はインデックスを備え、前記インデックスの異なる値は、前記１つまたは複数のワイヤレスノードによるＭＵ通信に利用可能な１つまたは複数のチャネルの異なる組合せにマッピングする、Ｃ１に記載の装置。
［Ｃ１０］
前記インデックスにおけるビット数は、基本サービスセット（ＢＳＳ）帯域幅に少なくとも部分的に基づく、Ｃ９に記載の装置。
［Ｃ１１］
前記チャネルボンディング情報はビットマップを備え、前記ビットマップにおける各ビットは、対応するチャネルがＭＵ通信に利用可能であるかどうかを示す、Ｃ１に記載の装置。
［Ｃ１２］
別の装置から要求を取得するための第２のインターフェースをさらに備え、前記処理システムは、前記要求を取得した後に前記チャネルボンディング情報を有する前記フレームを生成するように構成される、Ｃ１に記載の装置。
［Ｃ１３］
前記チャネルボンディング情報によってＭＵ通信に利用可能であると示された前記１つまたは複数のチャネル上で送信されたデータを取得するように構成された第３のインターフェースをさらに備える、Ｃ１に記載の装置。
［Ｃ１４］
前記第３のインターフェースは、複数のワイヤレスノードから前記１つまたは複数のチャネル上で送信されたデータを取得するように構成される、Ｃ１３に記載の装置。
［Ｃ１５］
前記第１のインターフェースは、前記１つまたは複数のワイヤレスノードへの前記１つまたは複数のチャネルの割り当てのインジケーションを提供するようにさらに構成される、Ｃ１に記載の装置。
［Ｃ１６］
前記インジケーションは、ビーコン、ターゲットウェイクアップ時間（ＴＷＴ）要素、または前記フレームのうちの少なくとも１つにおいて提供される、Ｃ１５に記載の装置。
［Ｃ１７］
前記インジケーションは、ある量の時間の間、有効である、Ｃ１５に記載の装置。
［Ｃ１８］
前記第１のインターフェースは、前記チャネルボンディング情報によってＭＵ送信に利用可能であると示された前記１つまたは複数のチャネル上で送信されるべきデータを出力するようにさらに構成される、Ｃ１に記載の装置。
［Ｃ１９］
ワイヤレス通信のための装置であって、
チャネルボンディング情報を備えるフレームを取得するように構成された第１のインターフェースと、
前記フレームに含まれる前記チャネルボンディング情報に基づいて、マルチユーザ（ＭＵ）通信に利用可能な１つまたは複数のチャネルを決定するように構成された処理システムと、
ＭＵ通信に利用可能であると決定された前記チャネルのうちの前記１つまたは複数上での送信のためにデータを出力するように構成された第２のインターフェースと、
を備える、装置。
［Ｃ２０］
前記決定は、前記チャネルボンディング情報における１ビットに少なくとも基づく、Ｃ１９に記載の装置。
［Ｃ２１］
前記少なくとも１ビットは、前記１つまたは複数のチャネルに対応する複数ビットを備え、各ビットは、前記対応する１つまたは複数のチャネルがＭＵ通信に利用可能であるか否かを示す、Ｃ２０に記載の装置。
［Ｃ２２］
前記処理システムは、前記フレームのサービスフィールドの１または複数ビットを介して前記チャネルボンディング情報を取得するように構成され、
前記処理システムが、スクランブラ初期化のために前記サービスフィールドの前記１または複数ビットを使用するように構成される、または
前記サービスフィールドの前記１または複数ビットのうちの少なくとも１ビットが、パリティビットを備え、前記処理システムが、前記チャネルボンディング情報において誤りを検出するために前記パリティビットを使用するように構成される、
のうちの少なくとも１つである、Ｃ１９に記載の装置。
［Ｃ２３］
前記チャネルボンディング情報はインデックスを備え、
前記インデックスの異なる値が、前記装置によるＭＵ通信に利用可能な１つまたは複数のチャネルの異なる組合せにマッピングし、
前記インデックスにおけるビット数は、基本サービスセット（ＢＳＳ）帯域幅に少なくとも部分的に基づき、
前記処理システムは、前記インデックスに少なくとも部分的に基づいて、ＭＵ通信に利用可能な前記１つまたは複数のチャネルを決定するように構成される、
Ｃ１９に記載の装置。
［Ｃ２４］
前記チャネルボンディング情報はビットマップを備え、
前記処理システムは、前記ビットマップにおける各ビットに基づいて、対応するチャネルがＭＵ通信に利用可能であるかどうかを決定する、
Ｃ１９に記載の装置。
［Ｃ２５］
前記第１のインターフェースは、ビーコンまたはターゲットウェイクアップ時間（ＴＷＴ）要素のうちの少なくとも１つを取得するようにさらに構成され、
前記処理システムは、前記ビーコン、前記ＴＷＴ要素、または前記フレームのうちの少なくとも１つにおけるインジケーションに基づいて、前記装置への前記１つまたは複数のチャネルの割り当てを決定するように構成され、前記インジケーションは、ある量の時間の間、有効である、
Ｃ１９に記載の装置。
［Ｃ２６］
装置によるワイヤレス通信のための方法であって、
１つまたは複数のワイヤレスノードによるマルチユーザ（ＭＵ）通信に利用可能な１つまたは複数のチャネルを示すチャネルボンディング情報を有するフレームを生成することと、
送信のために前記フレームを出力することと、
を備える、方法。
［Ｃ２７］
前記チャネルボンディング情報は、前記１つまたは複数のチャネルがＭＵ通信に利用可能であるか否かを示す少なくとも１ビットを備える、Ｃ２６に記載の方法。
［Ｃ２８］
前記少なくとも１ビットは、前記１つまたは複数のチャネルに対応する複数ビットを備え、各ビットは、前記対応する１つまたは複数のチャネルがＭＵ通信に利用可能であるか否かを示す、Ｃ２７に記載の方法。
［Ｃ２９］
前記フレームは、第１のタイプの少なくとも１つのワイヤレスノード、および第２のタイプの少なくとも１つのワイヤレスノードによって復号可能であり、
前記チャネルボンディング情報は、前記少なくとも１つの第２のタイプのワイヤレスノードによって復号可能であるが、前記少なくとも１つの第１のタイプのワイヤレスノードによって復号可能でない、Ｃ２６に記載の方法。
［Ｃ３０］
前記フレームは、送信要求（ＲＴＳ）または送信可（ＣＴＳ）フレームを備える、Ｃ２６に記載の方法。
［Ｃ３１］
前記チャネルボンディング情報は、前記フレームのサービスフィールドの１または複数ビットを介して提供される、Ｃ２６に記載の方法。
［Ｃ３２］
スクランブラ初期化のために前記サービスフィールドの前記１または複数ビットを使用することをさらに備える、Ｃ３１に記載の方法。
［Ｃ３３］
前記チャネルボンディング情報においてあらゆる誤りを検出するためにパリティビットとして前記サービスフィールドの前記１または複数ビットのうちの少なくとも１つを使用することをさらに備える、Ｃ３１に記載の方法。
［Ｃ３４］
前記チャネルボンディング情報はインデックスを備え、前記インデックスの異なる値は、前記１つまたは複数のワイヤレスノードによるＭＵ通信に利用可能な１つまたは複数のチャネルの異なる組合せにマッピングする、Ｃ２６に記載の方法。
［Ｃ３５］
前記インデックスにおけるビット数は、基本サービスセット（ＢＳＳ）帯域幅に少なくとも部分的に基づく、Ｃ３４に記載の方法。
［Ｃ３６］
前記チャネルボンディング情報はビットマップを備え、前記ビットマップにおける各ビットは、対応するチャネルがＭＵ通信に利用可能であるかどうかを示す、Ｃ２６に記載の方法。
［Ｃ３７］
別の装置から要求を取得することと、前記要求を取得した後に前記チャネルボンディング情報を有する前記フレームを生成することと、をさらに備える、Ｃ２６に記載の方法。
［Ｃ３８］
前記チャネルボンディング情報によってＭＵ通信に利用可能であると示された前記１つまたは複数のチャネル上で送信されたデータを取得することをさらに備える、Ｃ２６に記載の方法。
［Ｃ３９］
前記１つまたは複数のチャネル上で送信された前記取得されるデータは、複数のワイヤレスノードから取得される、Ｃ３８に記載の方法。
［Ｃ４０］
前記１つまたは複数のワイヤレスノードへの前記１つまたは複数のチャネルの割り当てのインジケーションを提供することをさらに備える、Ｃ２６に記載の方法。
［Ｃ４１］
前記インジケーションは、ビーコン、ターゲットウェイクアップ時間（ＴＷＴ）要素、または前記フレームのうちの少なくとも１つにおいて提供される、Ｃ４０に記載の方法。
［Ｃ４２］
前記インジケーションは、ある量の時間の間、有効である、Ｃ４０に記載の方法。
［Ｃ４３］
前記チャネルボンディング情報によってＭＵ通信に利用可能であると示された前記１つまたは複数のチャネル上で送信されるべきデータを出力することをさらに備える、Ｃ２６に記載の方法。
［Ｃ４４］
装置によるワイヤレス通信のための方法であって、
チャネルボンディング情報を備えるフレームを取得することと、
前記フレームに含まれる前記チャネルボンディング情報に基づいて、マルチユーザ（ＭＵ）通信に利用可能な１つまたは複数のチャネルを決定することと、
ＭＵ通信に利用可能であると決定された前記チャネルのうちの前記１つまたは複数上での送信のためにデータを出力することと、
を備える、方法。
［Ｃ４５］
前記決定は、前記チャネルボンディング情報における１ビットに少なくとも基づく、Ｃ４４に記載の方法。
［Ｃ４６］
前記少なくとも１ビットは、前記１つまたは複数のチャネルに対応する複数ビットを備え、各ビットは、前記対応する１つまたは複数のチャネルがＭＵ通信に利用可能であるか否かを示す、Ｃ４５に記載の方法。
［Ｃ４７］
前記チャネルボンディング情報は、前記フレームのサービスフィールドの１または複数ビットを介して取得され、
スクランブラ初期化のために前記サービスフィールドの前記１または複数ビットを使用すること、または
前記チャネルボンディング情報において誤りを検出するためにパリティビットとして前記サービスフィールドの前記１または複数ビットのうちの少なくとも１ビットを使用すること、
のうちの少なくとも１つをさらに備える、Ｃ４４に記載の方法。
［Ｃ４８］
前記チャネルボンディング情報はインデックスを備え、
前記インデックスの異なる値が、前記装置によるＭＵ通信に利用可能な１つまたは複数のチャネルの異なる組合せにマッピングし、
前記インデックスにおけるビット数は、基本サービスセット（ＢＳＳ）帯域幅に少なくとも部分的に基づき、
ＭＵ通信に利用可能な前記１つまたは複数のチャネルの前記決定は、前記インデックスに少なくとも部分的に基づく、
Ｃ４４に記載の方法。
［Ｃ４９］
前記チャネルボンディング情報はビットマップを備え、
前記ビットマップにおける各ビットに基づいて、対応するチャネルがＭＵ通信に利用可能であるかどうかを決定すること、
をさらに備える、Ｃ４４に記載の方法。
［Ｃ５０］
ビーコンまたはターゲットウェイクアップ時間（ＴＷＴ）要素のうちの少なくとも１つを取得することと、
前記ビーコン、前記ＴＷＴ要素、または前記フレームのうちの少なくとも１つにおけるインジケーションに基づいて、前記装置への前記１つまたは複数のチャネルの割り当てを決定することと、ここにおいて、前記インジケーションは、ある量の時間の間、有効である、
をさらに備える、Ｃ４４に記載の方法。
［Ｃ５１］
ワイヤレス通信のための装置であって、
１つまたは複数のワイヤレスノードによるマルチユーザ（ＭＵ）通信に利用可能な１つまたは複数のチャネルを示すチャネルボンディング情報を有するフレームを生成するための手段と、
送信のために前記フレームを出力するための手段と、
を備える、装置。
［Ｃ５２］
前記チャネルボンディング情報は、前記１つまたは複数のチャネルがＭＵ通信に利用可能であるか否かを示す少なくとも１ビットを備える、Ｃ５１に記載の装置。
［Ｃ５３］
前記少なくとも１ビットは、前記１つまたは複数のチャネルに対応する複数ビットを備え、各ビットは、前記対応する１つまたは複数のチャネルがＭＵ通信に利用可能であるか否かを示す、Ｃ５２に記載の装置。
［Ｃ５４］
前記フレームは、第１のタイプの少なくとも１つのワイヤレスノード、および第２のタイプの少なくとも１つのワイヤレスノードによって復号可能であり、
前記チャネルボンディング情報は、前記少なくとも１つの第２のタイプのワイヤレスノードによって復号可能であるが、前記少なくとも１つの第１のタイプのワイヤレスノードによって復号可能でない、Ｃ５１に記載の装置。
［Ｃ５５］
前記フレームは、送信要求（ＲＴＳ）または送信可（ＣＴＳ）フレームを備える、Ｃ５１に記載の装置。
［Ｃ５６］
前記チャネルボンディング情報は、前記フレームのサービスフィールドの１または複数ビットを介して提供される、Ｃ５１に記載の装置。
［Ｃ５７］
スクランブラ初期化のために前記サービスフィールドの前記１または複数ビットを使用するための手段をさらに備える、Ｃ５６に記載の装置。
［Ｃ５８］
前記チャネルボンディング情報においてあらゆる誤りを検出するためにパリティビットとして前記サービスフィールドの前記１または複数ビットのうちの少なくとも１つを使用するための手段をさらに備える、Ｃ５６に記載の装置。
［Ｃ５９］
前記チャネルボンディング情報はインデックスを備え、前記インデックスの異なる値は、前記１つまたは複数のワイヤレスノードによるＭＵ通信に利用可能な１つまたは複数のチャネルの異なる組合せにマッピングする、Ｃ５１に記載の装置。
［Ｃ６０］
前記インデックスにおけるビット数は、基本サービスセット（ＢＳＳ）帯域幅に少なくとも部分的に基づく、Ｃ５９に記載の装置。
［Ｃ６１］
前記チャネルボンディング情報はビットマップを備え、前記ビットマップにおける各ビットは、対応するチャネルがＭＵ通信に利用可能であるかどうかを示す、Ｃ５１に記載の装置。
［Ｃ６２］
別の装置から要求を取得するための手段と、
前記要求を取得した後に前記チャネルボンディング情報を有する前記フレームを生成するための手段と、
をさらに備える、Ｃ５１に記載の装置。
［Ｃ６３］
前記チャネルボンディング情報によってＭＵ通信に利用可能であると示された前記１つまたは複数のチャネル上で送信されたデータを取得するための手段をさらに備える、Ｃ５１に記載の装置。
［Ｃ６４］
前記データを取得するための手段は、複数のワイヤレスノードから前記データを取得するように構成される、Ｃ６３に記載の装置。
［Ｃ６５］
前記１つまたは複数のワイヤレスノードへの前記１つまたは複数のチャネルの割り当てのインジケーションを提供するための手段をさらに備える、Ｃ５１に記載の装置。
［Ｃ６６］
前記インジケーションを提供するための手段は、ビーコン、ターゲットウェイクアップ時間（ＴＷＴ）要素、または前記フレームのうちの少なくとも１つにおいて前記インジケーションを提供するように構成される、Ｃ６５に記載の装置。
［Ｃ６７］
前記インジケーションは、ある量の時間の間、有効である、Ｃ６５に記載の装置。
［Ｃ６８］
前記チャネルボンディング情報によってＭＵ通信に利用可能であると示された前記１つまたは複数のチャネル上で送信されるべきデータを出力するための手段をさらに備える、Ｃ５１に記載の装置。
［Ｃ６９］
ワイヤレス通信のための装置であって、
チャネルボンディング情報を備えるフレームを取得するための手段と、
前記フレームに含まれる前記チャネルボンディング情報に基づいて、マルチユーザ（ＭＵ）通信に利用可能な１つまたは複数のチャネルを決定するための手段と、
ＭＵ通信に利用可能であると決定された前記チャネルのうちの前記１つまたは複数上での送信のためにデータを出力するための手段と、
を備える、装置。
［Ｃ７０］
前記決定するための手段は、前記チャネルボンディング情報における１ビットに少なくとも基づいて、ＭＵ通信に利用可能な前記１つまたは複数のチャネルを決定するように構成される、Ｃ６９に記載の装置。
［Ｃ７１］
前記少なくとも１ビットは、前記１つまたは複数のチャネルに対応する複数ビットを備え、各ビットは、前記対応する１つまたは複数のチャネルがＭＵ通信に利用可能であるか否かを示す、Ｃ７０に記載の装置。
［Ｃ７２］
前記チャネルボンディング情報は、前記フレームのサービスフィールドの１または複数ビットを介して取得され、
スクランブラ初期化のために前記サービスフィールドの前記１または複数ビットを使用するための手段、または
前記チャネルボンディング情報において誤りを検出するためにパリティビットとして前記サービスフィールドの前記１または複数ビットのうちの少なくとも１ビットを使用するための手段、
のうちの少なくとも１つをさらに備える、Ｃ６９に記載の装置。
［Ｃ７３］
前記チャネルボンディング情報はインデックスを備え、
前記インデックスの異なる値が、前記装置によるＭＵ通信に利用可能な１つまたは複数のチャネルの異なる組合せにマッピングし、
前記インデックスにおけるビット数は、基本サービスセット（ＢＳＳ）帯域幅に少なくとも部分的に基づき、
前記決定するための手段は、前記インデックスに少なくとも部分的に基づいて、ＭＵ通信に利用可能な前記１つまたは複数のチャネルを決定するように構成される、
Ｃ６９に記載の装置。
［Ｃ７４］
前記チャネルボンディング情報はビットマップを備え、
前記ビットマップにおける各ビットに基づいて、対応するチャネルがＭＵ通信に利用可能であるかどうかを決定するための手段、
をさらに備える、Ｃ６９に記載の装置。
［Ｃ７５］
ビーコンまたはターゲットウェイクアップ時間（ＴＷＴ）要素のうちの少なくとも１つを取得するための手段と、
前記ビーコン、前記ＴＷＴ要素、または前記フレームのうちの少なくとも１つにおけるインジケーションに基づいて、前記装置への前記１つまたは複数のチャネルの割り当てを決定するための手段と、ここにおいて、前記インジケーションは、ある量の時間の間、有効である、
をさらに備える、Ｃ６９に記載の装置。
［Ｃ７６］
装置によるワイヤレス通信のためのコンピュータ可読媒体であって、
１つまたは複数のワイヤレスノードによるマルチユーザ（ＭＵ）通信に利用可能な１つまたは複数のチャネルを示すチャネルボンディング情報を有するフレームを生成することと、
送信のために前記フレームを出力することと、
のための命令を記憶している、コンピュータ可読媒体。
［Ｃ７７］
装置によるワイヤレス通信のためのコンピュータ可読媒体であって、
チャネルボンディング情報を備えるフレームを取得することと、
前記フレームに含まれる前記チャネルボンディング情報に基づいて、マルチユーザ（ＭＵ）通信に利用可能な１つまたは複数のチャネルを決定することと、
ＭＵ通信に利用可能であると決定された前記チャネルのうちの前記１つまたは複数上での送信のためにデータを出力することと、
のための命令を記憶している、コンピュータ可読媒体。
［Ｃ７８］
ワイヤレス通信のためのアクセスポイント（ＡＰ）であって、
１つまたは複数のワイヤレスノードによるマルチユーザ（ＭＵ）通信に利用可能な１つまたは複数のチャネルを示すチャネルボンディング情報を有するフレームを生成するように構成された処理システムと、
前記フレームを送信するように構成された送信機と、
を備える、アクセスポイント（ＡＰ）。
［Ｃ７９］
ワイヤレス通信のためのワイヤレスノードであって、
チャネルボンディング情報を備えるフレームを取得するように構成された受信機と、
前記フレームに含まれる前記チャネルボンディング情報に基づいて、マルチユーザ（ＭＵ）通信に利用可能な１つまたは複数のチャネルを決定するように構成された処理システムと、
ＭＵ通信に利用可能であると決定された前記１つまたは複数のチャネル上でデータを送信するように構成された送信機と、
を備える、ワイヤレスノード。
【図１】
0006698690.tif 000002
【図２】
0006698690.tif 000003
【図３】
0006698690.tif 000004
【図４】
0006698690.tif 000005
【図４Ａ】
0006698690.tif 000006
【図５】
0006698690.tif 000007
【図５Ａ】
0006698690.tif 000008
【図６Ａ】
0006698690.tif 000009
【図６Ｂ】
0006698690.tif 000010
【図７Ａ】
0006698690.tif 000011
【図７Ｂ】
0006698690.tif 000012
【図７Ｃ】
0006698690.tif 000013
【図８】
0006698690.tif 000014
【図９】
0006698690.tif 000015
【図１０】
0006698690.tif 000016
【図１１】
0006698690.tif 000017